(57)【要約】【課題】立枠の剛性を高めつつ立枠に応力痕が現れるのを抑制する。【解決手段】自動ドア１の防護柵１０であって、土台部１２に立設した細長の基板部１５ａを有する左右一対の支持材１５，１５と、この左右一対の支持材１５，１５を挿入して支持された左右一対の立枠１１，１１と、前記一対の立枠１１，１１に接続された横枠１３と、を備え、前記基板部１５ａは、前記基板部１５ａの上端から上方へ延びて前記立枠１１，１１の一方の内面に臨ませた第一側板部１５ｂと、前記基板部１５ａの上端から上方へ延びて前記立枠１１，１１の相対する他方の内面に臨ませた第二側板部１５ｃとを有している。【選択図】図６
2019138063.tif 000002
【特許請求の範囲】
【請求項１】
自動ドア１の戸袋３と対峙するように設置される防護柵１０であって、
土台部１２に立設した細長の基板部１５ａを有する左右一対の支持材１５，１５と、
この左右一対の支持材１５，１５を挿入し、この左右一対の支持材１５，１５により支持された左右一対の立枠１１，１１と、
前記一対の立枠１１，１１に接続された横枠１３と、を備え、
前記基板部１５ａは、前記基板部１５ａの上端から上方へ延びて前記立枠１１，１１の一方の内面に臨ませた第一側板部１５ｂと、前記基板部１５ａの上端から上方へ延びて前記立枠１１，１１の相対する他方の内面に臨ませた第二側板部１５ｃとの少なくともいずれか１つを有していることを特徴とする防護柵。
【請求項２】
前記基板部１５ａは、前記基板部１５ａの上端から上方へ延びて立枠１１，１１の一方の内面に臨ませた前記第一側板部１５ｂと、前記基板部１５ａの上端から上方へ延びて前記立枠１１，１１の相対する他方の内面に臨ませた前記第二側板部１５ｃとの両方を有していることを特徴とする請求項１記載の防護柵。
【請求項３】
前記支持材１５は、コ字状断面をなす細長の前記基板部１５ａからなることを特徴とする請求項１又は２記載の防護柵。
【請求項４】
前記支持材１５は、ロ字状断面をなす細長の前記基板部１５ａからなることを特徴とする請求項１又は２記載の防護柵。
【請求項５】
前記立枠１１は、前記立枠１１の外形を成す外枠部１１ａと、前記外枠部１１ａから前記外枠部１１ａの内側に凹む溝部１１ｃ，１１ｄと、前記溝部１１ｃ，１１ｄを覆う蓋部１１ｅ，１１ｆと、を有し、
前記立枠１１は、前記支持材１５に前記溝部１１ｃ，１１ｄにて締結されることを特徴とする請求項１に記載の防護柵。
【発明の詳細な説明】
【技術分野】
【０００１】
本発明は、自動ドアの戸袋に対峙するように設置される防護柵に関するものである。
【背景技術】
【０００２】
特許文献１には、自動ドアの開閉ドアが開放する際に、開閉ドアの戸尻に人や物が衝突するのを防止するために戸袋に対峙するように防護柵を設置することが記載されている。この防護柵２５は、図７に示すように、左右一対の立枠（２７，２７）と、一対の立枠（２７，２７）に接続された横枠（２８）と、一対の立枠（２７，２７）及び横枠（２８）に嵌め込まれたパネル（２６）と、を備える。接地面には、アンカーボルト３０で土台部２９が取り付けられ、この土台部２９に垂直に支持材３１が溶接され、この支持材３１に防護柵２５の立枠（２７，２７）を差し込んでボルトで固着される。
【先行技術文献】
【特許文献】
【０００３】
【特許文献１】特開２０１１−１２２３２２号公報
【発明の概要】
【発明が解決しようとする課題】
【０００４】
このような防護柵には、自動ドアを通る歩行者がぶつかったり、人がもたれ掛かったりすることで、防護柵における戸袋に対する対峙方向に大きな荷重が作用する場合がある。そこで、防護柵の立枠自体に剛性の高い材料を使用すると、防護柵のコストが高くなりすぎる。このため、立枠を挿入して支持する支持材の剛性を高めることが考えられる。
【０００５】
しかしながら、本発明者が、剛性の高い支持材を用い、この支持材に防護柵を組み込み、戸袋の反対方向に強い荷重をかけたところ、支持材の上端に対応する位置において、立枠に応力痕が現れたり、立枠が折れ曲がったりするとの知見を得た。
【０００６】
本発明は、立枠に応力痕が現れたり、立枠が折れ曲がったりするのを抑制することができる防護柵を提供することを目的とする。
【課題を解決するための手段】
【０００７】
本発明に係る防護柵は、自動ドア１の戸袋３と対峙するように設置される防護柵１０であって、土台部１２に立設した細長の基板部１５ａを有する左右一対の支持材１５，１５と、この左右一対の支持材１５，１５を挿入し、この左右一対の支持材１５，１５により支持された左右一対の立枠１１，１１と、前記一対の立枠１１，１１に接続された横枠１３と、を備え、前記基板部１５ａは、前記基板部１５ａの上端から上方へ延びて前記立枠１１，１１の一方の内面に臨ませた第一側板部１５ｂと、前記基板部１５ａの上端から上方へ延びて前記立枠１１，１１の相対する他方の内面に臨ませた第二側板部１５ｃとの少なくともいずれか１つを有している、
【０００８】
本発明に係る防護柵では、前記基板部１５ａは、前記基板部１５ａの上端から上方へ延びて立枠１１，１１の一方の内面に臨ませた前記第一側板部１５ｂと、前記基板部１５ａの上端から上方へ延びて前記立枠１１，１１の相対する他方の内面に臨ませた前記第二側板部１５ｃとを有しているものとすることができる。このような構成とすることにより、立枠１１が支持材１５の基板部１５ａ、第一側板部１５ｂ及び第二側板部１５ｃに当接されているため、戸袋３との対峙方向Ａ及び一対の立枠１１，１１の対向方向Ｂにおける立枠１１の剛性を高めることができる。そして、第一側板部１５ｂ及び第二側板部１５ｃが基板部１５ａよりも上方まで延びているため、第一側板部１５ｂ及び第二側板部１５ｃの上端部は、基板部１５ａの支持から解放されて、戸袋３との対峙方向Ａに撓みやすくなっている。このため、防護柵１０に、戸袋３に対する対峙方向Ａに強い荷重がかかっても、支持材１５の上端部が当該対峙方向Ａに撓むことで、支持材１５の上端縁から立枠１１に入力される荷重が分散される。これにより、支持材１５の上端に対応する位置において、立枠１１に応力痕が現れるのを抑制することができる。
【０００９】
前記支持材１５は、コ字状断面をなす細長の前記基板部１５ａからなるものとしてもよいし、また、前記支持材１５は、ロ字状断面をなす細長の前記基板部１５ａからなるものとしてもよい。
【００１０】
立枠１１は、立枠１１の外形を成す外枠部１１ａと、外枠部１１ａから外枠部１１ａの内側に凹む溝部１１ｃ，１１ｄと、溝部１１ｃ，１１ｄを覆う蓋部１１ｅ，１１ｆと、を有し、支持材１５は、溝部１１ｃ，１１ｄに締結されていてもよい。この防護柵では、蓋部１１ｅ及び蓋部１１ｆに覆われる溝部１１ｃ及び溝部１１ｄに支持材１５が締結されるため、立枠１１と支持材１５とを締結するビス１７が、外枠部１１ａから露出するのを防止することができる。これにより、立枠１１の美観が低下するのを抑制することができる。
【発明の効果】
【００１１】
本発明によれば、立枠の剛性を高めつつ立枠に応力痕が現れるのを抑制することができる。
【図面の簡単な説明】
【００１２】
【図１】実施形態の防護柵が設置された自動ドアを示す正面図である。
【図２】実施形態の防護柵を示す正面図である。
【図３】実施形態の防護柵を示す斜視図である。
【図４】立枠を示す正面図である。
【図５】（ａ）は図４に示すａ−ａ線における端面図、（ｂ）は図４に示すｂ−ｂ線における端面図、（ｃ）は図４に示すｃ−ｃ線における端面図である。
【図６】（ａ）は、支持材を示す斜視図、（ｂ）は、先端拡大図である。
【図７】防護柵の組み立て方法を説明するための斜視図である。
【発明を実施するための形態】
【００１３】
以下、図面を参照して、本発明の防護柵の実施形態を説明する。なお、各図において同一又は相当する要素については同一の符号を付し、重複する説明を省略する。
【００１４】
図１に示すように、自動ドア１は、開閉する開閉ドア２と、開閉せずに閉じた状態が保持される戸袋３と、開閉ドア２の開閉起動するためのドア起動センサ４と、を備える。戸袋３は、例えば、固定ドア、ガラス窓、壁等により構成される。ドア起動センサ４は、例えば、赤外線等による人感センサ４ａ、タッチセンサ４ｂ等で構成される。そして、本実施形態に係る防護柵１０は、戸袋３に沿って移動してきた開閉ドア２に人や物が衝突するのを防止するために、戸袋３に対峙するように設置される。なお、図１では、開閉ドア２、戸袋３及び防護柵１０が２つずつ設けられた両開きドアを示しているが、開閉ドア２、戸袋３及び防護柵１０の数は、両開きドアに限らず、片開きドアなどでもよく、実施例に特に限定されるものではない。
【００１５】
図２及び図３に示すように、防護柵１０は、左右一対の立枠１１，１１と、左右一対の土台部１２，１２と、一対の立枠１１，１１に接続された上下一対の横枠１３，１３と、一対の立枠１１，１１及び一対の横枠１３，１３に組み込まれたパネル１４と、一対の立枠１１，１１が挿入されて支持する左右一対の支持材１５，１５と、を備える。なお、以下の説明では、戸袋３に対する防護柵１０の対峙方向を「対峙方向Ａ」ともいい、一対の立枠１１，１１の対向方向を「対向方向Ｂ」ともいう。また、上下方向は、防護柵１０が設置された状態の上下方向をいう。
【００１６】
前記立枠１１及び横枠１３は、アルミ等の金属により形成されている。立枠１１は、前記支持材１５，１５により接地面Ｃに立設されて、鉛直方向に直線状に延びている。横枠１３は、その両端部が立枠１１に接続されて、水平方向に直線状に延びている。パネル１４は、一対の立枠１１，１１及び一対の横枠１３，１３に囲まれた矩形枠内に組み付けられている。なお、パネル１４は、ガラス、アクリル樹脂等の透光性を有するもののみであってもよく、警告灯等が組み込まれたものであってもよい。
【００１７】
図４及び図５に示すように、立枠１１は、略八角形断面の筒状に形成されており、上下方向全域にわたって同一の断面を成している。立枠１１は、立枠１１の外形を成す外枠部１１ａと、外枠部１１ａの対向方向Ｂ内側の面から外枠部１１ａの内側に凹むパネル用溝部１１ｂと、外枠部１１ａの対向方向Ｂ外側の面から外枠部１１ａの内側に凹む溝部１１ｃと、外枠部１１ａの対峙方向Ａにおける戸袋３側の面から外枠部１１ａの内側に凹む溝部１１ｄと、溝部１１ｃを覆う蓋部１１ｅと、溝部１１ｄを覆う蓋部１１ｆと、を有する。なお、一対の立枠１１，１１の上端には、一対の立枠１１，１１の上端の開口を覆う蓋部１８が取り付けられている。
【００１８】
パネル用溝部１１ｂは、パネル１４が嵌め込まれる部位であり、他方の立枠１１側に開放されたＵ字状断面に形成されている。溝部１１ｃ及び溝部１１ｄは、配線等を収容する収容空間を形成する部位であり、外枠部１１ａ側に開放されたＵ字状断面に形成されている。蓋部１１ｅ及び蓋部１１ｆは、外枠部１１ａに着脱可能に取り付けられて、溝部１１ｃ及び溝部１１ｄを覆う部材である。蓋部１１ｅ及び蓋部１１ｆは、外枠部１１ａから取り外されることで、溝部１１ｃ及び溝部１１ｄの収容空間を露出させて、当該収容空間に配線等を配設することができる。一方、蓋部１１ｅ及び蓋部１１ｆは、外枠部１１ａに取り付けられることで、溝部１１ｃ及び溝部１１ｄと、溝部１１ｃ及び溝部１１ｄの収容空間（当該収容空間に配設された配線等も含む）と、を隠すことができる。
なお、前記溝部１１ｃは、パネル１４を平面的に連結する場合にパネル１４を嵌め込まれる部位として利用され、また、前記溝部１１ｄは、パネル１４を直角に連結する場合にパネル１４を嵌め込まれる部位として利用される。
【００１９】
土台部１２は、支持材１５を接地面Ｃに立設させるための部材である。接地面Ｃに対する土台部１２の固定は、例えば、アンカーボルト１６によるアンカリングにより行うことができる。
【００２０】
支持材１５は、ＳＵＳ等の金属により形成されている。図４〜図６に示すように、支持材１５は、直線状に延びており、その下端が土台部１２に接合されている。土台部１２に対する支持材１５の接合は、例えば、溶接部１９により行うことができる。そして、支持材１５は、接地面Ｃに固定される土台部１２に接合されて、鉛直方向に直線状に延びている。また、立枠１１は、支持材１５を挿入して固定されて、鉛直方向に直線状に延びている。支持材１５に対する立枠１１の固定は、例えば、ビス１７によるビス止めにより行うことができる。支持材１５は、立枠１１よりも短く形成されており、立枠１１の上端部までは、支持材１５が挿入されていない。支持材１５の長さは、例えば、立枠１１の１／３〜１／２の長さとなっている。
【００２１】
支持材１５は、図６（ａ）に示すように、細長の基板部１５ａが溝形鋼とも呼ばれるコ字状断面（チャネル状）に形成され、この基板部１５ａの対向する２面の上端から上方へ延びて立枠１１，１１の一方の内面に臨ませた前記第一側板部１５ｂと、前記立枠１１，１１の相対する他方の内面に臨ませた前記第二側板部１５ｃとを有している。第二側板部１５ｃは、対峙方向Ａにおけるコ字状断面の基板部１５ａの戸袋３とは反対側であり、第一側板部１５ｂは、対峙方向Ａにおけるコ字状断面の基板部１５ａの戸袋３側である。コ字状断面の基板部１５ａの直交する２面は、図５（ｃ）に示すように、立枠１１の溝部１１ｃと溝部１１ｄとでそれぞれの内面にビス１７によりビス止めされている。図５（ｂ）に示すように、第一側板部１５ｂは、立枠１１の溝部１１ｄの内面に接触しているだけであり、第二側板部１５ｃは、立枠１１の内面に接触しているだけであり、それぞれ立枠１１と一体に撓む部分となっている。
【００２２】
さらに詳しくは、第一側板部１５ｂ及び第二側板部１５ｃは、基板部１５ａの上端から上方まで延びている。つまり、支持材１５の基板部１５ａは、上述したように対向方向Ｂ内側に開放されたコ字状断面に形成されているが、支持材１５の上端部は、基板部１５ａが切り欠かれることにより、第一側板部１５ｂと第二側板部１５ｃとが互いに分離された平行な片持ち梁となって立枠１１の内側に密接している。このため、基板部１５ａが形成されている部分では、基板部１５ａにより対峙方向Ａにおける剛性が高められている。一方、基板部１５ａが形成されていない第一側板部１５ｂと第二側板部１５ｃの部分では、対峙方向Ａにおける剛性が弱められて、第一側板部１５ｂ及び第二側板部１５ｃが対峙方向Ａに撓みやすくなっている。第一側板部１５ｂ及び第二側板部１５ｃの上端部は、それぞれ丸み１５ｂ１、丸み１５ｃ１を持たせることにより、立枠１１の内側に密接して屈曲しても応力痕が形成されないようになっている。
【００２３】
そして、第一側板部１５ｂ及び第二側板部１５ｃの撓みを阻害しないように、立枠１１は、支持材１５の下端部の基板部１５ａにおいて、固定されている。この固定には、基板部１５ａと立枠１１が溝部１１ｃと溝部１１ｄの位置でビス１７によりビス止めされることで、立枠１１と支持材１５とが固定されている。
【００２４】
次に、本実施形態に係る防護柵１０の組み付け方法について説明する。
まず、図７に示すように、一対の土台部１２，１２に一対の支持材１５，１５を溶接により接合し、この一対の土台部１２，１２を、アンカーボルト１６を用いて接地面Ｃに設置する。また、一対の立枠１１，１１と一対の横枠１３，１３とを組み付けるとともに、一対の立枠１１，１１及び一対の横枠１３，１３に囲まれた矩形枠内にパネル１４を組み付ける。そして、一対の支持材１５，１５を一対の立枠１１，１１に挿入して、ビス１７を用いて一対の支持材１５，１５に一対の立枠１１，１１を固定する。なお、ビス１７を用いて一対の支持材１５，１５に一対の立枠１１，１１を固定する際は、蓋部１１ｅ及び蓋部１１ｆを取り外しておき、溝部１１ｃと溝部１１ｄに基板部１５ａの直交する２面を、ビス１７によりビス止めする。その後、蓋部１１ｅ及び蓋部１１ｆを取り付ける。また、一対の立枠１１，１１の上端に、一対の立枠１１，１１の上端の開口を覆う蓋部１８を取り付ける。これにより、図２及び図３に示す防護柵１０が完成する。
【００２５】
以上説明したように、本実施形態に係る防護柵１０では、立枠１１に支持材１５が挿入されているとともに、立枠１１が支持材１５の第一側板部１５ｂ及び第二側板部１５ｃに当接されているため、戸袋３との対峙方向Ａ及び一対の立枠１１，１１の対向方向Ｂにおける立枠１１の剛性を高めることができる。そして、第一側板部１５ｂ及び第二側板部１５ｃが基板部１５ａよりも上方まで延びているため、第一側板部１５ｂ及び第二側板部１５ｃの上端部は、基板部１５ａの支持から解放されて、戸袋３との対峙方向Ａに撓みやすくなっている。このため、防護柵１０に、戸袋３に対する対峙方向Ａに強い荷重がかかっても、支持材１５の上端部が当該対峙方向Ａに撓むことで、支持材１５の上端縁から立枠１１に入力される荷重が局部的に掛かることなく分散される。これにより、支持材１５の上端に対応する位置において、立枠１１に応力痕が現れるのを抑制することができる。
【００２６】
また、蓋部１１ｅ及び蓋部１１ｆに覆われる溝部１１ｃ及び溝部１１ｄに支持材１５が締結されるため、立枠１１と支持材１５とを締結するビス１７が、外枠部１１ａから露出するのを防止することができる。これにより、立枠１１の美観が低下するのを抑制することができる。
【００２７】
以上、本発明の実施形態について説明したが、本発明は上記の各実施形態に限定されるものではない。
例えば、支持材１５の基板部１５ａは、対向方向Ｂ内側に開放されたコ字状断面（チャネル状）に形成されているものとしたが、これに限られるものではなく、四角筒状のロ字状断面とし、対峙方向Ａに第一側板部１５ｂと第二側板部１５ｃを形成するようにしてもよい。
例えば、上記実施形態では、前記基板部１５ａは、前記基板部１５ａの上端から上方へ延びて立枠１１，１１の一方の内面に臨ませた前記第一側板部１５ｂと、前記基板部１５ａの上端から上方へ延びて前記立枠１１，１１の相対する他方の内面に臨ませた前記第二側板部１５ｃとの両方を有しているものとしたが、第一側板部１５ｂと第二側板部１５ｃとの少なくともいずれか１つを有しているものであってもよい。
例えば、上記実施形態では、横枠は上下に２本設けられるものとして説明したが、横枠の数は特に限定されるものではなく、１本のみであってもよい。また、上記実施形態では、一対の立枠及び横枠は別部材であるものとして説明したが、一対の立枠及び横枠は一体（一部材）であってもよい。また、上記実施形態では、一対の立枠の間にパネルが組み付けられていたが、パネルが無くてもよい。
【符号の説明】
【００２８】
１…自動ドア、２…開閉ドア、３…戸袋、４…ドア起動センサ、４ａ…人感センサ、４ｂ…タッチセンサ、１０…防護柵、１１…立枠、１１ａ…外枠部、１１ｂ…パネル用溝部、１１ｃ…溝部、１１ｄ…溝部、１１ｅ…蓋部、１１ｆ…蓋部、１２…土台部、１３…横枠、１４…パネル、１５…支持材、１５ａ…基板部、１５ｂ…第一側板部、１５ｂ１…丸み、１５ｃ…第二側板部、１５ｃ１…丸み、１６…アンカーボルト、１７…ビス、１８…蓋部、１９…溶接部、Ａ…対峙方向、Ｂ…対向方向、Ｃ…接地面。
【図１】
2019138063.tif 000003
【図２】
2019138063.tif 000004
【図３】
2019138063.tif 000005
【図４】
2019138063.tif 000006
【図５】
2019138063.tif 000007
【図６】
2019138063.tif 000008
【図７】
2019138063.tif 000009